(57)【要約】【課題】操作者が紙出力された文書等を他の操作者に引き継ぐ場合に、引継ぎを容易かつ迅速に行えるようにする。【解決手段】操作者ＩＤおよび引継ぎ情報が格納された識別手段の情報を読み取る読み取り手段と、前記識別手段の情報を読み取った後に、前記引継ぎ情報に含まれる引継ぎ先ＩＤと読み取った原稿の画像データとを関連付けて記憶する画像データ記憶手段と、前記読み取り手段によって読み取られた操作者ＩＤと前記画像データに関連付けて記憶された引継ぎ先ＩＤとを比較する比較手段と、前記比較手段による比較の結果、前記操作者ＩＤと前記引継ぎ先ＩＤとが一致した場合に対応する原稿画像を出力する画像出力制御手段とを備える。【選択図】図１２
2008028933.tif 000002
【特許請求の範囲】
【請求項１】
読み取った原稿の画像データを記憶する記憶手段を有し、記憶された画像データを出力紙に印刷する画像形成装置において、
操作者ＩＤおよび引継ぎ情報が格納された識別手段の情報を読み取る読み取り手段と、
前記識別手段の情報を読み取った後に、前記引継ぎ情報に含まれる引継ぎ先ＩＤと読み取った原稿の画像データとを関連付けて記憶する画像データ記憶手段と、
前記読み取り手段によって読み取られた操作者ＩＤと前記画像データに関連付けて記憶された引継ぎ先ＩＤとを比較する比較手段と、
前記比較手段による比較の結果、前記操作者ＩＤと前記引継ぎ先ＩＤとが一致した場合に対応する原稿画像を出力する画像出力制御手段と
を備えることを特徴とする画像形成装置。
【請求項２】
前記画像データ記憶手段によって画像データが記憶されてから計時を開始するタイマー手段と、
前記タイマー手段の計時開始から一定時間後に前記画像出力制御手段によって画像データが出力されなかった場合、外部に接続された管理装置に警告データを送信する警告手段と
をさらに備えることを特徴とする請求項１に記載の画像形成装置。
【請求項３】
前記識別手段は、カード状であって、非接触式ＩＣを有することを特徴とする請求項１または請求項２に記載の画像形成装置。
【請求項４】
前記引継ぎ情報には引継ぎ元ＩＤをさらに含み、前記警告データには、引継ぎ元ＩＤおよび引き継ぎ先ＩＤが含まれることを特徴とする請求項２に記載の画像形成装置。
【請求項５】
読み取った原稿の画像データを記憶する記憶手段を備え、記憶された画像データを出力紙に印刷する画像形成装置であって、
操作者ＩＤおよび引継ぎ情報が格納された識別手段の情報を読み取る読み取り手段と、
前記識別手段の情報を読み取った後に、前記引継ぎ情報に含まれる引継ぎ先ＩＤと読み取った原稿の画像データとを関連付けて記憶する画像データ記憶手段と、
前記読み取り手段によって読み取られた操作者ＩＤと前記画像データに関連付けて記憶された引継ぎ先ＩＤとを比較する比較手段と、
前記比較手段による比較の結果、前記操作者ＩＤと前記引継ぎ先ＩＤとが一致した場合に対応する原稿画像を出力する画像出力制御手段と、
前記画像データ記憶手段によって画像データが記憶されてから計時を開始するタイマー手段と、
前記タイマー手段の計時開始から一定時間後に前記画像出力制御手段によって画像データが出力されなかった場合、外部に接続された管理装置に警告データを送信する警告手段とを有する画像形成装置と、
前記管理装置であって、
前記画像形成装置から前記警告データを受信する受信手段と、
前記受信手段により受信された前記警告データに含まれる引継ぎ元ＩＤと引継ぎ先ＩＤを基に引継ぎの経過を記録管理する管理手段とを有する管理装置と
を備えることを特徴とするシステム。
【発明の詳細な説明】
【技術分野】
【０００１】
本発明はデジタル複写機等のデジタルデータを画像形成する画像形成装置に関するものである。
【背景技術】
【０００２】
従来、この様な画像形成装置においては、原稿画像を読み取り、画像データを画像形成装置内のハードディスク等の記憶装置に格納する機能を有している。この画像データは格納されているファイル名を指定して出力紙にプリントアウトすることができる。この機能をＢＯＸ機能と呼ばれ、操作者が紙出力された文書等を他の操作者に引き継ぐ場合に利用することができる。
【０００３】
【特許文献１】特開２００２−１４９６３９号公報
【発明の開示】
【発明が解決しようとする課題】
【０００４】
しかしながら、操作者が紙出力された文書等を他の操作者に引き継ぐ場合に、現状の機能では格納時に文書名を書き換えるか、自動的に割り振られた文書名を記憶しておき、その文書名を引き継ぎ先の操作者に伝えなければならない。正確に伝えられない場合が想定され、引継ぎ文書の格納及び出力時の操作性が煩雑となっている。特に医療業務において看護記録等の文書を引き継ぐ場合には特に引き継ぎ作業が迅速に行われる必要があり、ある時間以内に引き継がれなかった場合に引継ぎを促すようなシステムが必要である。
【課題を解決するための手段】
【０００５】
上記課題を解決するために、請求項１に記載の発明は、読み取った原稿の画像データを記憶する記憶手段を有し、記憶された画像データを出力紙に印刷する画像形成装置において、操作者ＩＤおよび引継ぎ情報が格納された識別手段の情報を読み取る読み取り手段と、前記識別手段の情報を読み取った後に、前記引継ぎ情報に含まれる引継ぎ先ＩＤと読み取った原稿の画像データとを関連付けて記憶する画像データ記憶手段と、前記読み取り手段によって読み取られた操作者ＩＤと前記画像データに関連付けて記憶された引継ぎ先ＩＤとを比較する比較手段と、前記比較手段による比較の結果、前記操作者ＩＤと前記引継ぎ先ＩＤとが一致した場合に対応する原稿画像を出力する画像出力制御手段とを備えることを特徴とする。
【０００６】
また、請求項２に記載の発明は、請求項１に記載の画像形成装置において、前記画像データ記憶手段によって画像データが記憶されてから計時を開始するタイマー手段と、前記タイマー手段の計時開始から一定時間後に前記画像出力制御手段によって画像データが出力されなかった場合、外部に接続された管理装置に警告データを送信する警告手段とをさらに備えることを特徴とする。
【０００７】
また、請求項３に記載の発明は、請求項１または請求項２に記載の画像形成装置において、前記識別手段は、カード状であって、非接触式ＩＣを有することを特徴とする。
【０００８】
また、請求項４に記載の発明は、請求項２に記載の画像形成装置において、前記引継ぎ情報には引継ぎ元ＩＤをさらに含み、前記警告データには、引継ぎ元ＩＤおよび引き継ぎ先ＩＤが含まれることを特徴とする。
【０００９】
また、請求項５に記載の発明は、読み取った原稿の画像データを記憶する記憶手段を備え、記憶された画像データを出力紙に印刷する画像形成装置であって、操作者ＩＤおよび引継ぎ情報が格納された識別手段の情報を読み取る読み取り手段と、前記識別手段の情報を読み取った後に、前記引継ぎ情報に含まれる引継ぎ先ＩＤと読み取った原稿の画像データとを関連付けて記憶する画像データ記憶手段と、前記読み取り手段によって読み取られた操作者ＩＤと前記画像データに関連付けて記憶された引継ぎ先ＩＤとを比較する比較手段と、前記比較手段による比較の結果、前記操作者ＩＤと前記引継ぎ先ＩＤとが一致した場合に対応する原稿画像を出力する画像出力制御手段と、前記画像データ記憶手段によって画像データが記憶されてから計時を開始するタイマー手段と、前記タイマー手段の計時開始から一定時間後に前記画像出力制御手段によって画像データが出力されなかった場合、外部に接続された管理装置に警告データを送信する警告手段とを有する画像形成装置と、前記管理装置であって、前記画像形成装置から前記警告データを受信する受信手段と、前記受信手段により受信された前記警告データに含まれる引継ぎ元ＩＤと引継ぎ先ＩＤを基に引継ぎの経過を記録管理する管理手段とを有する管理装置とを備えることを特徴とするシステムとして構成される。
【発明の効果】
【００１０】
本発明によれば、引継ぎ業務を簡易な方法で確実に行えるようになる。さらに一定時間以内に引き継がれなかった場合に警告できる構成としたので、迅速に業務を引き継ぐ事が可能となり、操作者の使い勝手が向上する。特に医療現場において、看護記録等の文書を引き継ぎに際して有効である。
【発明を実施するための最良の形態】
【００１１】
以下に、図面を参照して本発明の実施形態について説明する。  
図１は本発明による画像形成装置のシステム構成を示した図である。
【００１２】
画像形成装置１０００はコピー、ＰＤＬプリント、ＦＡＸ機能等を備えたＭＦＰ（マルチファンクションプリンタ）であり、ネットワーク接続されている。同じネットワーク上には業務の引き継ぎを管理するためのパーソナルコンピュータ２０００が接続されている。パーソナルコンピュータ２０００からは画像形成装置１０００に対してプリントも可能となっており、画像形成装置１０００からの各種情報をＬＡＮを介した通信によって得られるようになっている。また、パーソナルコンピュータ２０００には業務の引継ぎに必要なＩＤを操作者のＩＤカードに書きこむ機能を有している。さらに、このパーソナルコンピュータ２０００は、引き継ぎ業務のスケジューリングを行うためのスケジューラのソフトがインストールされていて、どのＩＤからどのＩＤへ引継ぎが行われるかが記憶されている。
【００１３】
図２に、本発明による画像形成装置１０００の概略構成（断面図）を示す。
画像形成装置１０００は、スキャナ１０、プリンター１１、コントローラ１２により構成される。
【００１４】
まず、スキャナ１０の構成について説明する。  
原稿台ガラス１０１には、原稿自動送り装置１４２から給送された原稿が順次、所定位置に載置されるようになっている。この原稿台ガラス１０１に載置された原稿は、例えばハロゲンランプから構成される原稿照明ランプ１０２により露光される。  
１０３，１０４，１０５は走査ミラーであり、光学走査ユニットに収容され、往復動しながら、原稿からの反射光をＣＣＤユニット１０６に導く。
【００１５】
ＣＣＤユニット１０６は、原稿からの反射光をＣＣＤに結像させる結像レンズ１０７と、例えばＣＣＤから構成される撮像素子１０８と、撮像素子１０８を駆動するＣＣＤドライバ１０９等から構成されている。また、ＣＣＤユニット１０６はリーダーコントローラ１４７により制御されている。それにより、撮像素子１０８からの画像信号出力は、例えば８ビットのデジタルデータに変換、シェーディング補正された後、コントローラ１２に入力され、各種の画像処理が行われる。
【００１６】
コントローラ１２の詳細は後述するが、操作部１４０、リーダーコントローラ１４７、プリンタコントローラ１４６が接続され、操作部１４０からの指示に応じて、スキャナ１０、プリンター１１をコントロールし画像形成動作を行う。また、外部Ｉ／Ｆとの通信を行う。
【００１７】
次にプリンター１１の構成について説明する。  
１１０は感光ドラムであり、前露光ランプ１１２によって画像形成に備えて除電される。１１１は、感光ドラム１１０の表面をクリーニングするクリーナーである。１１３は１次帯電器であり、感光ドラム１１０を一様に帯電させる。
【００１８】
１１７は露光手段としてのレーザユニットである。このレーザユニット１１７は、例えば、半導体レーザ等で構成され、画像処理や装置全体の制御を行うコントローラ１２で処理された画像データに基づいて感光ドラム１１０を露光し、静電潜像を形成する。１１８は現像器であり、黒色の現像剤（トナー）が収容されている。
【００１９】
１１９は転写前帯電器であり、感光ドラム１１０上に現像されたトナー像を用紙に転写する前に高圧を印加する。また、１２０、１２２、１２４は給紙ユニットである。これらの給紙ユニットから、各給紙ローラ１２１、１２３、１２５の駆動により、転写用紙が装置内に給紙され、レジストローラ１２６の配置位置で一旦停止される。そして、感光ドラム１１０に形成された画像との書き出しタイミングがとられ再搬送される。
【００２０】
１２７は転写帯電器であり、感光ドラム１１０に現像されたトナー像を、搬送されてきた転写用紙に転写する。１２８は分離帯電器であり、転写動作の終了した転写用紙を感光ドラム１１０から分離する。転写されずに感光ドラム１１０上に残ったトナーはクリーナー１１１によって回収される。
【００２１】
１２９は搬送ベルトであり、転写プロセスの終了した転写用紙を定着器１３０に搬送し、例えば熱によって定着される。１３１はフラッパであり、定着プロセスの終了した転写用紙の搬送パスを、ステイプルソータ１３２または中間トレイ１３７の配置方向のいずれかに制御する。
【００２２】
ステイプルソータ１３２に排紙された用紙は、各ビンに仕分けされ、プリンタコントローラ１４６からの指示によりステイプル部１４１がステイプルを行う。１３３〜１３６は、搬送ローラであり、一度定着プロセスの終了した転写用紙を中間トレイ１３７に反転（多重印刷用）または、非反転（両面印刷用）して給送する。１３８は再搬送ローラであり、中間トレイ１３７に載置された転写用紙を再度、レジストローラ１２６の配設位置まで搬送する。
【００２３】
５００は非接触式ＩＣのリーダー／ライターであり、非接触式ＩＣの内容を読み込んだり、書き換える機能を有する。このリーダー／ライター５００は例えば、操作パネル１４０に隣接して配置される。６００は、ＲＦＩＤ（Ｒａｄｉｏ  Ｆｒｅｑｕｅｎｃｙ  Ｉｄｅｎｔｉｆｉｃａｔｉｏｎ）等の非接触式ＩＣであり、例えば名刺サイズのＩＣカードの形状として構成することができる。非接触式ＩＣ６００には所有している本人のＩＤ番号の他に業務を引き継ぐ際に使用するための引継ぎ元ＩＤ番号、引き継ぎ先ＩＤ番号が記憶されている。リーダー／ライター５００及び非接触式ＩＣ６００の詳細な説明は後述する。
【００２４】
次に、コントローラ１２の詳細について説明する。  
図３は、コントローラ１２の概略構成を示したブロック図である。
【００２５】
５３はＣＰＵを内蔵したコアＩＣで、コントローラ１２及び、装置全体を統括的に制御する。各種外部Ｉ／Ｆを持ち、画像の圧縮、伸張機能なども有する。ＣＰＵ５３は、制御手順（制御プログラム）を記憶した読み取り専用メモリ（ＲＯＭ−ＤＩＭＭ）５１からプログラムを順次読み取り、実行する。また、ＣＰＵ５３にはＰＣＩバスを介してＩ／Ｏコントローラ６０が接続されている。
【００２６】
Ｉ／Ｏコントローラ６０はこれに接続された各負荷とＣＰＵ５３間の入出力信号を、それぞれＰＣＩバスと各負荷に対応した信号に変更する。Ｉ／Ｏコントローラ６０には、ＨＤ３０７、ＥＥＰＲＯＭ６５、操作部１４０、ＲＴＣ（リアルタイムクロック）５９が直接接続されている。また、データバス、アドレスバスを介して画像処理部５５、マスクＲＯＭ５６、ＳＲＡＭ５７、ＬＣＤコントローラ５８が接続されている。
【００２７】
ＨＤ３０７はメモリ容量２０ＧＢ程度のハードディスクであり、制御プログラムが格納された領域と、画像の蓄積用として利用される領域に分けられている。制御プログラムはＲＯＭ−ＤＩＭＭ５１にも格納されているが、こちらは容量が少なく、起動時にのみ使用する。ＲＯＭ−ＤＩＭＭ５１のプログラムによって起動した後は、ＨＤ３０７に内蔵された制御プログラムをＰＣＩバスを介してＳＤＲＡＭ−ＤＩＭＭ５２に転送し、その制御プログラムに応じて、各部を制御する。
【００２８】
また、制御プログラムを更新する場合には、ＩＥＥＥ１２８４（５４）を介してＰＣを接続するか、１０／１００ＢＡＳＥ−Ｔコネクタ６２を介して接続されたＰＣからプログラムをＨＤ３０７にダウンロードする。ＥＥＰＲＯＭ６５はＩ／Ｏコントローラ６０に接続されたＥＥＰＲＯＭで、この画像形成装置１０００の仕様、たとえば読み取りスピード、プリントスピード、使用言語などの情報が、予め書き込まれている。
【００２９】
ＲＴＣ５９はリアルタイムクロックであり、時間情報を供給する。不図示の電池により常に、バックアップされている。なお、スキャナ１０側にある操作部１４０は、Ｉ／Ｏコントローラ６０とシリアルの通信を行い、操作部１４０のキーが押されたことなどを検知する。操作部１４０への表示データはＬＣＤコントローラ５８に外部バスを介して書き込まれ、そのデータが操作部１４０に転送されるようになっている。
【００３０】
マスクＲＯＭ５６はフォントデータが格納されたマスクロムであり、操作部表示や、用紙への文字出力時などに使用される。ＳＲＡＭ５７は、不図示の電池によりバックアップされており、各種データが蓄積される。画像処理部５５は画像信号に対する画像処理を行う。この画像処理部５５は、リーダーＩ／Ｆ６３から入力された画像に対するリーダー系の画像処理部と、プリンターＩ／Ｆ６４へ画像転送する前のプリンター系の画像処理部より構成され、変倍処理、濃度変換、２値化処理などを行う。
【００３１】
さらに、ＣＰＵ５３はＥｔｈｅｒｎｅｔ（登録商標）  Ｉ／Ｆ６１を介して１０／１００ＢＡＳＥ−Ｔコネクタ６２を介してＬＡＮに接続されている。これにより、外部ＰＣなどとデータの送受信が可能で、スキャナ出力画像をネットワークを介して送信したり、プリントを行うことができる。ＩＥＥＥ１２８４（５４）は、いわゆるセントロニクスＩ／Ｆであり、ＰＣとパラレル接続され、ＰＣとの間でデータの送受信が可能である。
【００３２】
ここで、画像データの流れを簡単に説明すると、リーダーＩ／Ｆ６３を介して、入力された画像データは画像処理部５５で各種画像処理が行われ、ＣＰＵ５３を介して、ＳＤＲＡＭ−ＤＩＭＭ５２に入力される。一旦、ＳＤＲＡＭ−ＤＩＭＭ５２に蓄積された画像データは、ＣＰＵ５３により再度読み出される。そして、ＣＰＵ５３を介して画像処理部５５において画像処理が施され、プリンターＩ／Ｆ６４を経てプリンター１１へ出力されて、用紙に画像形成される。
【００３３】
また、コピーを複数部作成する場合には、入力された画像データをＨＤ３０７に蓄え、１部作成するたびにＨＤ３０７から読み出して画像形成を行う。詳しく説明すると、ＳＤＲＡＭ−ＤＩＭＭ５２に、一旦蓄積された画像データは、ＣＰＵ５３により読み出され、ＣＰＵ５３内部の画像圧縮部で圧縮されて、ＳＤＲＡＭ−ＤＩＭＭ５２の別領域に書き込まれる。次に、圧縮された画像データは、ＣＰＵ５３、ＰＣＩバス、Ｉ／Ｏコントローラ６０を介してＨＤ３０７に蓄積される。
【００３４】
画像形成時には、ＨＤ３０７から読み出された圧縮画像データは逆にＩ／Ｏコントローラ６０、ＰＣＩバス、ＣＰＵ５３を介してＳＤＲＡＭ−ＤＩＭＭ５２に書き込まれる。ＳＤＲＡＭ−ＤＩＭＭ５２から読み出された画像データは、ＣＰＵ５３内部の画像伸張部で伸張されて、再度ＳＤＲＡＭ−ＤＩＭＭ５２の別領域に書き込まれる。伸張された画像データは、先ほど説明したように、ＣＰＵ５３を介して画像処理部５５に転送され、プリンター１１へ転送される。ＢＯＸ機能の場合も前述したように入力された画像をＨＤ３０７に蓄える。そして、ＢＯＸプリントの場合には格納されている圧縮画像データをＨＤ３０７から読み出してプリントする。
【００３５】
５００は非接触式ＩＣ用のリーダー／ライターであり、非接触式ＩＣ６００の内容を読み込んだり、書き換える機能を有する。詳細は後述するが、非接触式ＩＣ６００から読み込んだデータおよび非接触式ＩＣ６００に書き込むデータをＣＰＵ５３はＩ／Ｏコントローラ６０を介してやり取りする。
【００３６】
次に、リーダー１０の詳細について説明する。  
図４は、リーダー１０の概略構成を示したブロック図である。
【００３７】
２４は、リーダーユニット全体の制御を行うＣＰＵであり、制御プログラムを記憶した読み取り専用メモリ（ＲＯＭ）２６から制御プログラムを順次読み取り、実行する。ＣＰＵ２４のアドレスバス、データバスはバスドライバ、アドレスデコーダからなる回路２５を介して各負荷に接続されている。また、コントローラ１２のＣＰＵ５３と通信を行い、機器制御を分担して行う。
【００３８】
２７は、入力データの記憶や作業用記憶領域等として用いる主記憶装置としてのランダムアクセスメモリ（ＲＡＭ）である。２８はＩ／Ｏインターフェースであり、給紙系、搬送系、光学系の駆動を行うモータ類２９、ランプ３０、また、搬送される用紙を検知するための紙検知センサ等のセンサ類３１などの装置の各負荷に接続される。ＣＣＤ１０８、Ａ／Ｄ変換部２１、シェーディング補正部２２、ビデオ信号制御部／タイミング生成部２３から構成される画像制御部３２は画像信号の補正、制御、転送を行っている。また、ビデオ信号制御部／タイミング生成部２３は、各機能のタイミングを制御し、コントローラ１２への画像転送を制御する。
【００３９】
プリンター１１の詳細について説明する。  
図５は、プリンター１１の概略構成を示したブロック図である。
【００４０】
７０は、プリンター１１の制御を行うＣＰＵであり、プリンター１１の制御手順（制御プログラム）を記憶したＲＯＭ７２から順次プログラムを読み取り、実行する。ＣＰＵ７０のアドレスバス、データバスはバスドライバ、アドレスデコーダからなる回路７１を介して各負荷に接続されている。また、コントローラ１２のＣＰＵ５３とプリンターＩ／Ｆ６４を介して接続され、通信を行う。
【００４１】
７３は、入力データの記憶や作業用記憶領域として用いる主記憶装置としてのランダムアクセスメモリ（ＲＡＭ）である。また、ＲＡＭ７３の全部または一部は電池等によりバックアップされており、本体の電源がオフの状態でも、メモリの内容が保持される。７４はＩ／Ｏインターフェースである。これは、給紙系、搬送系、光学系の駆動を行うモータ類７６、クラッチ類７７、ソレノイド類７８、また、搬送される用紙を検知するための紙検知センサ類７９、トナー残量検知センサ８０、画像形成のための高圧制御を行う高圧制御部８１の各負荷に接続される。
【００４２】
Ｉ／Ｏインターフェース７４は、さらにレーザユニット１１７に接続される。レーザユニット１１７から発振されたレーザビームは感光ドラム１１０を照射し、露光すると共に、非画像領域においてビーム検知センサ８２（受光センサ）によりレーザ光の発光状態、ビーム位置が検知される。その検知信号は、ビデオ信号制御部／タイミング生成部７５に入力され、タイミング同期信号が形成される。生成されたタイミング同期信号はコントローラ１２へ出力され、この信号に応じてコントローラ１２は画像データをプリンター１１へ転送する。コントローラ１２から転送されてきた画像データはビデオ信号制御部／タイミング生成部７５を介してレーザユニット１１７へ入力され、画像形成が行われる。
【００４３】
次に、本実施の形態の画像形成装置１０００における画像データの流れを説明する。
図６は、本実施の形態の画像形成装置１０００における画像データの流れを説明するためのブロック図である。
【００４４】
リーダー１０内のＣＣＤ１０８により電気信号に変換された８ビットの画像信号は、Ａ／Ｄコンバータ２１により、アナログデータからデジタルデータに変換される。次に、シェーディング補正部２２によって、画素間のばらつきの補正が行われた後、コントローラ１２の画像処理部５５に入力される。画像処理部５５はリーダー系の画像処理部とプリンター系の画像処理部により構成されている。
【００４５】
リーダー１０からの画像データは縮小・拡大部９０に入力される。縮小コピー時には画像データの間引きが行われ、拡大コピー時には画像データの補間が行われる。この処理は主走査側、副走査側の両方に対して行う。次にエッジ強調部９１では、例えば５×５（５ライン×５画素）のウインドウで２次微分が行われ、これにより画像のエッジが強調される。ＬＵＴ９２は輝度濃度変換部であり、ＣＣＤ１０８により読み込まれた輝度信号を、プリンター１１に出力するための濃度データにテーブルサーチによって変換する。また、濃度の調整もこの変換テーブルによって行っている。
【００４６】
９３は２値化処理部であり、入力された多ビット（例えば８ビット）の画像データを２値化処理する。後段のメモリに蓄積する際の、画像サイズを少なくしメモリ容量を抑えるためである。２値化処理された画像データはＣＰＵ５３を介して画像メモリ（ＳＤＲＡＭ−ＤＩＭＭ）５２に、一旦蓄積される。ＣＰＵ５３は画像メモリ５２を制御し、スキャナ１０からの画像データを受け取り、画像メモリ５２に格納する。
【００４７】
その後、画像メモリ５２に格納された画像を読み出し、必要に応じてプリンター系の画像処理が行われる。９４では２値データの拡大／縮小処理を行い、９５では２値データの濃度変換を行う。これらの処理は、主にＰＣからのプリント処理用の画像処理として使用されている。その後、プリンタコントローラ１４６を介してレーザユニット１１７に送られ。用紙に画像形成される。
【００４８】
画像メモリ５２に蓄積された画像は、ＣＰＵ５３内の画像データ圧縮部によって、圧縮処理が行われる。圧縮された画像はＩ／Ｏコントローラ６０を介して、ＨＤ３０７に蓄積される。ＨＤ３０７は２０ＧＢ程度の容量をもち、数千ページの画像データを蓄積することが可能である。ＨＤ３０７に蓄積された画像を、プリントする場合には、ＣＰＵ５３内の画像データ伸張部によって、もとのデータに復元され、プリンター１１へ出力される。
【００４９】
また、画像メモリ（ＳＤＲＡＭ−ＤＩＭＭ）５２に一旦格納された画像データは、Ｅｔｈｅｒｎｅｔ（登録商標）  Ｉ／Ｆ（Ｎｅｔｗｏｒｋ  Ｉ／Ｆ）６１を介してＬＡＮ３１０へ出力される。このＬＡＮ３１０を介して外部のパソコンやプリンターとネットワークで接続され、データの送受信が行われる。
【００５０】
次に、画像形成装置本体の起動シーケンスを説明する。
リーダー１０、プリンター１１、コントローラ１２の各ユニットはそれぞれ、ＣＰＵ及び制御プログラムを備えている。各ユニットはコントローラ１２を介して通信を行い、装置全体は、コントローラ１２によって制御されている。  
以下では、各ユニットの起動時のシーケンスについて説明する。
【００５１】
（リーダー１０の起動シーケンス）
リーダー１０は起動時、ＲＯＭ２６に格納された制御プログラムに従って起動する。このとき、制御プログラム内で指定されたデフォルト機体情報で起動し、読み取り周期、処理枚数等に関する設定を行う。その後、コントローラ１２に対して起動信号をアクティブにし、リーダー１０が起動したことを通知して、コントローラ１２が起動するまで待機する。
【００５２】
リーダー１０はコントローラ１２の起動を確認すると、コントローラ１２から機体情報を入手する。入手した機体情報の、読み取り周期、処理枚数等に関する設定がデフォルト設定と異なる場合には、設定を行い直す。そして、コントローラ１２のフル起動を確認後、詳細情報の通信を行う。また、コントローラ１２から通知されたデータの設定が行えないときには、その旨をコントローラ１２に通知し、設定データを変更するように要求する。最適な設定が行えるまで繰り返す。
【００５３】
（プリンター１１の起動シーケンス）
プリンター１１はＲＯＭ７２に格納された制御プログラムに従って起動する。制御プログラム内で指定されたデフォルトの機体情報で起動し、プリント枚数の指定など、各種設定を行う。その後、コントローラ１２に対してプリンター起動信号をアクティブにし、プリンター１１の起動を通知する。
【００５４】
プリンター１１は、コントローラ１２が起動していることを確認した後、コントローラ１２から正しい機体情報を入手する。入手した機体情報に応じて、各種設定を行い直す。その後、コントローラ１２との詳細な情報の通信に移行する。また、コントローラ１２から通知されたデータの設定が行えないときには、その旨をコントローラ１２に通知し、設定データを変更するように要求する。最適な設定が行えるまで、やりとりを繰り返す。
【００５５】
（コントローラ１２の起動シーケンス）
コントローラ１２のＣＰＵ５３は、電源起動時、フラッシュメモリ等で構成されたＲＯＭ−ＤＩＭＭ５１に格納されたプログラムで起動する。ＰＣＩバスの設定、Ｉ／Ｏコントローラ６０等の初期設定を行い、リーダー１０、プリンター１１へコントローラ１２の起動を通知する。
【００５６】
ＨＤ３０７のレディ信号がアクティブになり、ＨＤ３０７起動が確認されると、ＨＤ３０７に格納された制御プログラムをＩ／Ｏコントローラ６０、ＰＣＩバス、ＣＰＵ５３を介してＳＤＲＡＭ−ＤＩＭＭ５２に転送する。プログラムの転送が終了すると、ＳＤＲＡＭ−ＤＩＭＭ５２に転送されたプログラムを起動する。さらに、ＨＤ３０７、ＳＲＡＭ５７等に格納されたデータを読み出し、各種の設定を行う。その後、リーダー１０、プリンター１１へコントローラ１２のフル起動を通知し、詳細情報の通信を開始する。
【００５７】
以上のように、装置の機能を司るＣＰＵ５３が、ＲＯＭ−ＤＩＭＭ５１内のプログラムにより起動した後で、さらにＨＤ３０７のプログラムで起動する構成としている。これは、起動時のプログラムをＲＯＭ−ＤＩＭＭ５１に格納しているためで、このプログラムによってＨＤ３０７へのアクセスが開始される。
【００５８】
また、ＨＤ３０７へのプログラムのインストールなどのためのプログラムもＲＯＭ−ＤＩＭＭ５１内に格納されている。しかし、装置の制御プログラムなどすべてのプログラムをＲＯＭ−ＤＩＭＭ５１に格納しないのは、ＲＯＭ−ＤＩＭＭ５１のメモリ単価がＨＤ３０７に比べて高いことと、プログラム容量が増大していることによる。
【００５９】
次に、図７を用いて、非接触式ＩＣ６００の詳細な説明を行う。  
非接触式ＩＣ６００は、６０１の不揮発性メモリ、６０２の電波の送受信のためのアンテナ部、６０３の共振コンデンサ部、６０４の電源の整流・平滑を行う電力形成部、６０５の電波の変調・復調を行うための復変調回路、及び６０６の制御部から構成される。
【００６０】
アンテナ部６０２は、共振コンデンサ６０３と組み合わされ、共振回路を構成できるようになっている。外部から電力を供給するための電波信号が送られることにより、これを共振回路で受け取って、６０４に示される電力形成部へ供給する。これにより、電力生成部６０４は非接触式ＩＣ６００を動作させるための電力を供給することが可能となる。この電力は、不揮発性メモリ６０１や、復変調回路６０５へ供給される。制御部６０６は、非接触式ＩＣ６００の制御を行うためのものである。
【００６１】
外部とは、電力を供給するための電波とあわせて、非接触式ＩＣ６００から読み出す、または書き着込むためのデータも同時に送受信される。非接触式ＩＣ６００へ送られてきた信号は、復変調回路６０５によって復調され、制御部６０６を介して、不揮発性メモリ６０１へ記憶される。また、制御部６０６によって、不揮発性メモリ６０１から読み出されたデータは、復変調回路６０５によって変調され、アンテナ部６０２から電波信号として送信可能である。非接触式ＩＣ６００を、例えば個人のＩＤカードとして使用し、業務の引継ぎに利用する場合には不揮発性メモリ６０１に本人のＩＤ、引き継ぎ先のＩＤ、引継ぎ元のＩＤをデータとして格納しておく。
【００６２】
次に、図８を用いて、非接触式ＩＣ用のリーダー／ライター５００の詳細な説明を行う。  
リーダー／ライター５００は、非接触式ＩＣ６００に対して電波を送信するための送信アンテナ５０１、送信アンテナ５０１から送信する電波の変調を行うための変調回路５０２を備える。また、非接触式ＩＣ６００から送られてくる電波を受信するための受信アンテナ５０３、受信アンテナ５０３が受信した信号を復調するための復調回路５０４を備える。さらに、送信アンテナ５０１、変調回路５０２、受信アンテナ５０３、復調回路５０４及び（上位機器との通信を行う）Ｉ／Ｆ部５０６を制御する制御部５０５と、送信アンテナ５０１に接続され非接触式ＩＣ６００への電力供給を行う電源５０７とから構成される。
【００６３】
制御部５０５は、外部からの指示により変調回路５０２を用いて電力を供給するための電波および送信するデータを変調して、送信アンテナ５０１より外部へ電波を送信する。また、外部より受信した電波信号を、受信アンテナ５０３で受信して、復調回路５０４によって復調したのち、データ信号として扱えるように変換することが可能である。
【００６４】
次に、図９を用いて画像形成装置１０００の操作パネル１４０について説明する。  
図９は、画像形成装置１０００の操作パネル１４０に表示される基本画面である。
【００６５】
１００１は拡張機能キーであり、このキーを押すことによって両面複写、多重複写、移動、とじ代の設定、枠消しの設定等のモードに入る。１００２は画像モードキーであり、複写画像に対して網掛け、影付け、トリミング、マスキングを行うための設定モードに入る。１００３はユーザーモードキーであり、モードメモリの登録、標準モード画面の設定がユーザーごとに行える。
【００６６】
１００４は応用ズームキーであり、原稿のＸ方向、Ｙ方向を独立に変倍するモード、原稿のサイズと複写サイズから変倍率を計算するズームプログラムのモードに入る。１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。１００９はオプションキーであり、フィルムから直接複写するためのフィルムプロジェクター等のオプション機能の設定を行う。
【００６７】
１０１０はソーターキーであり、ソーターのソート、グループ等のモード設定を行う。１０１１は原稿混載キーであり、原稿フィーダーにＡ４サイズとＡ３サイズ、またはＢ５サイズとＢ４サイズの原稿を一緒にセットする際に押す。１０１２は等倍キーであり、複写倍率を１００％にする際に押す。１０１４、１０１５はそれぞれ縮小キー、拡大キーであり、定形の縮小、拡大を行う際に押す。１０１６はズームキーであり、１％刻みで非定形の縮小、拡大を行う際に押す。
【００６８】
１０１３は用紙選択キーであり、複写用紙の選択を行う際に押す。１０１８、１０２０は濃度キーであり、１０１８を押すごとに濃く複写され、１０２０を押すごとに薄く複写される。１０１７は濃度表示であり、濃度キーを押すと表示が左右へ変化する。１０１９はＡＥキーであり、新聞のように地肌の濃い原稿を自動濃度調整複写するときに押す。
【００６９】
１０２１はＨｉＦｉキーであり、写真原稿のように中間調の濃度が多い原稿の複写の際に押す。１０２２は文字強調キーであり、文字原稿の複写で文字を際立たせたい場合に押す。１０２３は文書引継ぎモードキーであり、文書を他の操作者に引き継ぐ場合、あるいは他の操作者から文書を引き継がれる場合に押す。
【００７０】
図１０は、図９において文書引継ぎモードキー１０２３を押した時に操作パネルに表示される画面である。  
１０３５は文書格納キーであり、文書を引き継ぐ操作者（引継ぎ元）が画像形成装置１０００に文書を格納したい時に押す。１０３６は文書出力キーであり、文書の引継ぎ先の操作者が画像形成装置１０００内に格納されている文書を出力したい時に押す。１０３７は戻るキーであり、文書引継ぎモードから図９に示した基本画面に戻る時に押す。
【００７１】
次に、図１１、図１２、図１３のフローチャート及び図１４の管理用ＰＣの表示例を用いて、本実施形態の画像形成装置１０００の詳細な動作について説明する。  
図１１は、文書の引き継ぎにおける文書格納時の処理について示している。
【００７２】
図１１において、まずステップＳ１１１で、非接触式ＩＣ６００（ＩＤカード）から操作者ＩＤおよび引継ぎ情報を読み取る。操作者のＩＤカードには前述したように、所有している本人のＩＤ番号（操作者番号）の他に業務を引き継ぐ際に使用するための引継ぎ情報として引継ぎ元ＩＤ番号、引継ぎ先ＩＤ番号が記憶されている。読み取りはＩＤカードのリーダー／ライター５００で行い、ＣＰＵ５３がＩＯコントローラ６０を介してデータを取り込む。
【００７３】
次にステップＳ１１２で操作パネル１４０上の文書引継ぎモードキー１０２３が押されたかどうかをＣＰＵ５３が判断する。このステップＳ１１２において、文書引継ぎモードキー１０２３が押されていないと判断した場合はそのまま終了する。一方、ステップＳ１１２において、文書引継ぎモードキー１０２３が押されたと判断した場合はステップＳ１１３に進む。
【００７４】
ステップＳ１１３では操作パネル１４０上の文書格納キー１０３５が押されたかどうかをＣＰＵ５３が判断する。このステップＳ１１３において、文書格納キー１０３５が押されていないと判断した場合はそのまま終了する。一方、ステップＳ１１３において、文書格納キー１０３５が押されたと判断した場合はステップＳ１１４に進む。
【００７５】
ステップＳ１１４では操作パネル１４０上の図示しないコピーキーが押されたどうかをＣＰＵ５３が判断する。ステップＳ１１４において、コピーキーが押されないと判断した場合はそのまま終了する。一方、ステップＳ１１４において、コピーキーが押されたと判断した場合はステップＳ１１５に進む。  
ステップＳ１１５では原稿台ガラス１０１上に置かれた原稿あるいは、原稿自動送り装置１４２にセットされた原稿を読み取る。
【００７６】
次にステップＳ１１６に進み、読み取られた原稿の画像データは図６を用いて説明したように、縮小拡大、エッジ強調、ＬＵＴ、２値化の各画像処理部を通り、ＣＰＵ５３、Ｉ／Ｏコントローラ６０を介してＨＤ３０７に格納される。格納する際には読み取られた画像データに対するファイル名を自動的に割り振るとともに、ステップＳ１１１で読み取った引継ぎ先ＩＤを少なくとも関連付けておく（後述する警告処理を行う場合は、さらに引継ぎ元ＩＤ番号を関連付ける）。ファイルの管理情報はＨＤ３０７に格納してもよいし、ＳＲＡＭ５７に格納してもよい。
【００７７】
図１２は、文書の引き継ぎにおける文書出力時の処理について示している。  
図１２において、まずステップＳ１２１でＩＤカードから操作者ＩＤおよび引継ぎ情報を読み取る。操作者のＩＤカードには前述したように、所有している本人のＩＤ番号の他に業務を引き継ぐ際に使用するための引継ぎ元ＩＤ番号、引き継ぎ先ＩＤ番号が記憶されている。読み取りはＩＤカードのリーダー／ライター５００で行い、ＣＰＵ５３がＩ／Ｏコントローラ６０を介してデータを取り込む。
【００７８】
次にステップＳ１２２で操作パネル１４０上の文書引継ぎモードキー１０２３が押されたかどうかをＣＰＵ５３が判断する。ステップＳ１２２において、文書引継ぎモードキー１０２３が押されないと判断した場合はそのまま終了する。一方、ステップＳ１２２において、文書引継ぎモードキー１０２３が押されたと判断した場合はステップＳ１２３に進む。
【００７９】
ステップＳ１２３では操作パネル１４０上の文書出力キー１０３６が押されたかどうかをＣＰＵ５３が判断する。ステップＳ１２３において、文書出力キー１０３６が押されていないと判断した場合はそのまま終了する。一方、ステップＳ１２３において、文書出力キー１０３６が押されたと判断した場合はステップＳ１２４に進む。
【００８０】
ステップＳ１２４では、ＣＰＵ５３が、ステップＳ１２１で読み取った操作者ＩＤとＨＤ３０７に格納されている文書ファイルに関連付けて格納されている引継ぎ先ＩＤ番号をサーチする。そして、ステップＳ１２５においてこれらのＩＤが一致する文書ファイルが存在するかどうかを判断する。ＩＤが一致する文書ファイルが存在しないと判断した場合はそのまま終了する。一方、ステップＳ１２５においてＩＤが一致する文書ファイルが存在すると判断した場合はその文書ファイルデータをプリントアウトする。
【００８１】
プリントアウト動作は図６を用いて説明したように、ＨＤ３０７内の圧縮処理された画像データをＣＰＵ５３がＩ／Ｏコントローラ６０を介して読み出し、伸張して一旦メモリ５２内に格納する。その後、画像データは、拡大縮小、濃度変換の各画像処理部を通り、プリンタコントローラ１４６を介してレーザユニット１１７に送られ、用紙に画像形成される。
【００８２】
次に、ステップＳ１２７に進み、ＣＰＵ５３はプリントしたＨＤ３０７内の文書ファイルに所定のデータを上書きすることによって消去する。
【００８３】
次に、文書の引き継ぎにおける警告処理について説明する。
図１３は文書の引き継ぎにおける警告処理について示している。
【００８４】
図１３において、まずステップＳ１３１で前述した文書引継ぎモードにおける文書格納処理が行われた後、ステップＳ１２２に進み、ＣＰＵ５３は内部のタイマーをスタートさせる。  
次にステップＳ１２３で、格納処理された文書ファイルが引き継ぎモードによって出力処理されたかどうかを判断する。出力処理されたと判断した場合はステップＳ１２５に進み、ＣＰＵ５３は内部のタイマーをリセットし、ステップＳ１２６に進む。
【００８５】
ステップＳ１２６では引継ぎ処理が正常にされたとういうデータをＬＡＮを介して外部の管理用ＰＣ２０００に送信する。一方、ステップＳ１２３の判断で出力処理されていないと判断した場合はステップＳ１２４でタイマーがタイムアップしたかどうかを判断する。
【００８６】
ステップＳ１２４でタイマーがタイムアップしていないと判断した場合はステップＳ１２３に戻り、格納処理された文書ファイルが引き継ぎモードによって出力処理されたかどうかを再度判断する。一方、ステップＳ１２４でタイマーがタイムアップしたと判断した場合はステップＳ１２７に進み、警告データをＬＡＮを介して外部の管理用ＰＣ２０００に送信する。なお、タイマーのタイマー値は操作パネルから設定させてもよいし、管理用ＰＣ２０００から通信によって設定してもよい。
【００８７】
警告データを受信した管理用ＰＣ２０００には、例えばスケジューラのソフトがインストールされており、図１４に示したような表示を行うことができる。同図に示すように、引継ぎ元ＩＤ：ＡＡＡ０００００１から引き継ぎ先ＩＤ：ＢＢＢ０００００１への文書引継ぎは時間どおり行われ「ＯＫ」と表示されている。一方、引継ぎ元ＩＤ：ＪＪＪ０００００１から引き継ぎ先ＩＤ：ＫＫＫ０００００２への文書引継ぎは時間以内に引継ぎが行われていないので「ＮＧ」と表示されている。このように引き継ぎが完了したかどうかを管理用ＰＣ２０００側で確認を行う。これによって、引継ぎ作業を迅速に行うことが可能となる。
【図面の簡単な説明】
【００８８】
【図１】本発明による画像形成装置のシステム構成を示したブロック図である。
【図２】本発明による画像形成装置の概略構成を示す断面図である。
【図３】同画像形成装置のコントローラ部の概略構成を示すブロック図である。
【図４】同画像形成装置のスキャナ部の概略構成を示すブロック図である。
【図５】同画像形成装置のプリンター部の構成を示すブロック図である。
【図６】同画像形成装置における画像データの流れを示すブロック図である。
【図７】非接触式ＩＣの概略構成を示すブロック図である。
【図８】非接触式ＩＣ用のリーダーライター部のブロック図
【図９】本発明による画像形成装置の操作パネルの一例を示す図である。
【図１０】同画像形成装置の操作パネルの表示例である。
【図１１】同画像形成装置の詳細な動作について説明するフローチャートである。
【図１２】同画像形成装置の詳細な動作について説明するフローチャートである。
【図１３】同画像形成装置の詳細な動作について説明するフローチャートである。
【図１４】同画像形成装置に外部接続される管理用ＰＣにおける表示例である。
【符号の説明】
【００８９】
１０…スキャナ
１１…プリンター
１２…コントローラ
２１…Ａ／Ｄ変換部
２２…シェーディング補正部
２３…ビデオ信号制御部／タイミング生成部
２４…ＣＰＵ
２７…ＲＡＭ
２８…Ｉ／Ｏインターフェース
２９…モータ類
３０…ランプ
３１…センサ類
５１…ＲＯＭ−ＤＩＭＭ
５２…ＳＤＲＡＭ−ＤＩＭＭ
５３…ＣＰＵ
５４…ＩＥＥＥ１２８４
５５…画像処理部
５６…マスクＲＯＭ
５７…ＳＲＡＭ
５８…ＬＣＤコントローラ
５９…ＲＴＣ（リアルタイムクロック）
６０…Ｉ／Ｏコントローラ
６１…Ｅｔｈｅｒｎｅｔ（登録商標）  Ｉ／Ｆ（ＰＨＹ  Ｎｅｔｗｏｒｋ  Ｉ／Ｆ）
６２…１０／１００ＢＡＳＥ−Ｔコネクタ
６３…リーダーＩ／Ｆ
６４…プリンターＩ／Ｆ
６５…ＥＥＰＲＯＭ
７０…ＣＰＵ
７１…バスドライバ／アドレスデコーダ
７２…ＲＯＭ
７３…ＲＡＭ
７４…Ｉ／Ｏインターフェース
７５…ビデオ信号制御部／タイミング生成部
７６…モータ類
７７…クラッチ類
７８…ソレノイド類
７９…紙検知センサ類
８０…トナー残量検知センサ
８１…高圧制御部
８２…ビーム検知センサ
９０…縮小・拡大部
９１…エッジ強調部
９２…ＬＵＴ
９３…２値化処理部
９４…拡大／縮小処理部
９５…濃度変換部
１０１…原稿台ガラス
１０２…原稿照明ランプ
１０３，１０４，１０５…走査ミラー
１０６…ＣＣＤユニット
１０７…結像レンズ
１０８…撮像素子
１０９…ＣＣＤドライバ
１１０…感光ドラム
１１１…クリーナー
１１２…前露光ランプ
１１３…１次帯電器
１１７…レーザユニット
１１８…現像器
１１９…転写前帯電器
１２０，１２２，１２４…給紙ユニット
１２１，１２３，１２５…給紙ローラ
１２６…レジストローラ
１２７…転写帯電器
１２８…分離帯電器
１２９…搬送ベルト
１３０…定着器
１３１…フラッパ
１３２…ステイプルソータ
１３３，１３４，１３５，１３６…搬送ローラ
１３７…中間トレイ
１３８…再搬送ローラ
１４０…操作部
１４１…ステイプル部
１４２…原稿自動送り装置
１４６…プリンタコントローラ
１４７…リーダーコントローラ
３０７…ＨＤ（ハードドライブ）
３１０…ＬＡＮ
５００…リーダー／ライター
５０１…送信アンテナ
５０２…変調回路
５０３…受信アンテナ
５０４…復調回路
５０５…制御部
５０６…Ｉ／Ｆ部
５０７…電源
６００…非接触式ＩＣ
６０１…不揮発性メモリ
６０２…アンテナ部
６０３…共振コンデンサ部
６０４…電力形成部
６０５…復変調回路
６０６…制御部
１０００…画像形成装置
２０００…パーソナルコンピュータ（管理用ＰＣ）
【図１】
2008028933.tif 000003
【図２】
2008028933.tif 000004
【図３】
2008028933.tif 000005
【図４】
2008028933.tif 000006
【図５】
2008028933.tif 000007
【図６】
2008028933.tif 000008
【図７】
2008028933.tif 000009
【図８】
2008028933.tif 000010
【図９】
2008028933.tif 000011
【図１０】
2008028933.tif 000012
【図１１】
2008028933.tif 000013
【図１２】
2008028933.tif 000014
【図１３】
2008028933.tif 000015
【図１４】
2008028933.tif 000016